(57)【要約】      （修正有）【課題】バール不正侵入および地震による閉じ込めに対して、有効な対策となる玄関扉に取り付ける補助具を提供する。【解決手段】扉の開く方向と反対の面に固定する扉側補強具１００と、扉枠の開閉側端近傍であり且つ扉側補助具１００の固定位置と略同一水平位置に固定する枠側補強具２００とを備え、扉側補強具１００は、凸部１２１と、ローラ１３０とを備え、枠側補強具２００は凸部１２１が挿入可能な凹部２１０を有し、扉を閉めた際に、凸部１２１が凹部２１０に挿入され、且つ、ローラ１３０が上記枠側補強部２００の一側面にわずかな間隔を持って対向する。【選択図】図９
2016135979.tif 000002
【特許請求の範囲】
【請求項１】
閉じた状態から一方向に開き且つシリンダー錠を備えた扉の防犯対策に用いる補強具であって、
扉の開く方向と反対の面に固定する扉側補強具と、
扉枠の開閉側端近傍であり且つ上記扉側補助具の固定位置と略同一水平位置に固定する枠側補強具と、
を備え、
上記扉側補強具は、凸部と、ローラとを備え、
上記枠側補強具は上記扉側補強具の凸部が挿入可能な凹部を有し、
上記扉側補強具を扉に固定し、上記枠側補強具を扉枠に固定し、扉を閉めた際に、上記扉側補強具の凸部が上記枠側補強部の凹部に挿入され、且つ、上記扉側補強具のローラが上記枠側補強部の一側面にわずかな間隔を持って対向する
ことを特徴とする防犯補助具。
【請求項２】
閉じた状態から一方向に開き且つシリンダー錠を備えた扉の防犯対策に用いる補強具であって、
扉の開く方向と反対の面に固定する扉側補強具と、
扉枠の開閉側端近傍であり且つ上記扉側補助具の固定位置と略同一水平位置に固定する枠側補強具と、
を備え、
上記扉側補強具は、凸部と、当該扉側補強具の全長を変更できる後端位置調整部とを備え、
上記枠側補強具は上記扉側補強具の凸部が挿入可能な凹部を有する、
ことを特徴とする防犯補助具。
【請求項３】
請求項１または２に記載の防犯補助具を備え、
当該防犯補助具を錠の上部近傍または下部近傍に固定した
ことを特徴とする扉システム。
【請求項４】
上記扉側補強具を両面テープを用いて扉に固定した
ことを特徴とする請求項３に記載の扉システム。
【発明の詳細な説明】
【技術分野】
【０００１】
本発明は、玄関扉の防犯対策として用いる補助具、および、それを用いた扉システムに関するものである。
【背景技術】
【０００２】
玄関扉をバールでこじ開けて屋内に侵入する手口の犯罪は、近年、急速に増加している。この犯罪は、ピッキング等の従来の手口に比べて、防犯が困難であり、様々な対策が提案されているものの、有効な対策が見いだせていない。
【０００３】
最近の扉は、軽量化を重視して、０．８ｍｍ程度の薄い鋼板が用いられている。そして、内部構造は、スチールの力骨の代わりにハニカムペーパーコアを芯材として構成されている。このような構成の扉は、扉面に垂直な方向の圧力には強いが、それに比べて、扉の左右横方向の強度が軟弱である。したがって、バールによって比較的容易にこじ開けることができる。
【０００４】
また、神戸および東北の震災を教訓として、地震に対応する扉が開発されている。いわゆる耐震型の扉であり、扉と扉枠との間隔を従来より広くすることで、地震により扉枠が変形しても、扉を開くことができる。しかし、扉と扉枠との間隔を従来より広くすると、バールをその間隔に深く挿入できるため、さらに容易に犯罪者が扉を壊し、侵入しやすくなっている。
【０００５】
こういった不正開錠に対する防犯対策として、玄関扉の外壁に玄関パネルを設置し、その玄関パネルに収納された回転式ロックバーを回転させて、鍵穴を覆う装置が提案されている（例えば、特許文献１）。
【先行技術文献】
【特許文献】
【０００６】
【特許文献１】特開２００６−２０７１６８号
【発明の概要】
【発明が解決しようとする課題】
【０００７】
特許文献１に開示された防犯装置は、ピッキング対策としては有力ではあるが、バールのこじ開け対策としては実効性がない。また、施錠に際して、錠を掛けた上に、ロックバーを回転させるという手間が生じてしまう。開錠の際にも同様である。さらに、設置コストが掛かるという問題もある。
【０００８】
その他にも、扉の強度を増すための諸対策が考案されているが、犯罪の手口が進化しているため、いずれの対策も有効な対策として機能していないのが現状である。
【課題を解決するための手段】
【０００９】
本発明に係る防犯補助具は、
閉じた状態から一方向に開き且つシリンダー錠を備えた扉の防犯対策に用いる補強具であって、
扉の開く方向と反対の面に固定する扉側補強具と、
扉枠の開閉側端近傍であり且つ上記扉側補助具の固定位置と略同一水平位置に固定する枠側補強具と、
を備え、
上記扉側補強具は、凸部と、ローラとを備え、
上記枠側補強具は上記扉側補強具の凸部が挿入可能な凹部を有し、
上記扉側補強具を扉に固定し、上記枠側補強具を扉枠に固定し、扉を閉めた際に、上記扉側補強具の凸部が上記枠側補強部の凹部に挿入され、且つ、上記扉側補強具のローラが上記枠側補強部の一側面にわずかな間隔を持って対向する
ことを特徴とする。
【００１０】
本発明に係る防犯補助具は、
閉じた状態から一方向に開き且つシリンダー錠を備えた扉の防犯対策に用いる補強具であって、
扉の開く方向と反対の面に固定する扉側補強具と、
扉枠の開閉側端近傍であり且つ上記扉側補助具の固定位置と略同一水平位置に固定する枠側補強具と、
を備え、
上記扉側補強具は、凸部と、当該扉側補強具の全長を変更できる後端位置調整部とを備え、
上記枠側補強具は上記扉側補強具の凸部が挿入可能な凹部を有する、
ことを特徴とする。
【００１１】
本発明に係る扉システムは、
上記防犯補助具を錠の上部近傍または下部近傍に固定した
ことを特徴とする。
【００１２】
本発明に係る扉システムは、
上記扉側補強具を両面テープを用いて扉に固定した
ことを特徴とする
【発明の効果】
【００１３】
本発明に係る防犯補助具、および、それを用いた扉システムは、簡単な構成でありながら、バールこじ開けに対する扉の横方向強度を著しく向上させることができる。
そのため、進化した犯罪手口にも十分に対応可能である。
また、施工後の扉の補強も容易に且つ低コストで実施できる。
【００１４】
また、扉への取付けに際して、両面テープを採用することで、一層の強度向上を実現した。
さらに、ツッパリ構造を採用したことで、一段の強度向上を可能とした。
また、ローラを設けることで、扉と扉枠との間隔を広げることなく、耐震扉として機能するので、バールを間隔深く挿入することができず、防犯対策と耐震対策を両立できる。
【図面の簡単な説明】
【００１５】
【図１】本発明に係る防犯補助具の扉および扉枠への取付けを示す図である。
【図２】本発明に係る防犯補助具の正面図および断面図である。
【図３】扉を開閉した際の本発明に係る防犯補助具の状態を示す断面図である。
【図４】本発明に係る防犯補助具を装備した扉に対して、バールで破壊を試みた状態を示す断面図である。
【図５】本発明に係る防犯補助具を装備した扉が、バールで損傷を受けた状態を示す断面図である。
【図６】本発明に係る防犯補助具を扉に強固に固定する方法を示す断面図である。
【図７】本発明の実施の形態２に係る防犯補助具を扉および扉枠へ取付けた状態を示す図である。
【図８】本発明の実施の形態２に係る防犯補助具を扉および扉枠へ取付けた状態の写真である。
【図９】本発明の実施の形態２に係る防犯補助具の断面図である。
【図１０】本発明の実施の形態２に係る防犯補助具の扉開閉側の分部拡大写真である。
【発明を実施するための形態】
【００１６】
本発明に係る防犯補助具、および、それを用いた扉システムの構成や動作等に関して、以下において、図面を用いて説明する。なお、以下の説明は本発明に関する良好な一例を開示するものであり、寸法や構成材料等に関して、本発明が当該実施の形態に限定されるものではない。
【００１７】
実施の形態１．
防犯補助具は、閉じた状態から一方向に開き且つシリンダー錠を備えた扉の防犯対策に用いる補強具であって、扉３に取り付ける扉側補強具１と扉枠４に取り付ける枠側補強具２とで構成される。
まず、図１および図２を用いて、構成について詳述する。
【００１８】
図１は、防犯補助具の扉３および扉枠４への取付けを示す図であり、扉システム全体の構成を示している。一般に日本の家屋や集合住宅等の建物の玄関扉は外開きであり、この場合には、図１は建物の内側から扉を見た図である。以下において、内側あるいは外側という語は、この基準で用いる。
【００１９】
防犯補助具は、錠の上方近傍または下方近傍に取り付ける。図１においては、主錠３２Ａと補助錠３２Ｂの二つの錠を備えた扉３を示しており、この場合には、主錠３２Ａと補助錠３２Ｂの中間位置に防犯補助具を取り付けるのが良い。
扉側補強具１は扉３の扉開閉側端３１に近い場所に取り付ける。一方、枠側補強具２は、扉枠４の扉枠開閉側端４１から扉３側に出っ張るように取り付ける。
なお、５は扉３が扉枠４に対して回転可能に設置するための回転接続部である。
【００２０】
図２（ａ）は、扉３の扉側補強具１が取り付けられた場所の近傍を示した正面図であり、（ｂ）はＡ−Ａ断面の断面図である。デッドボルト３３が出た状態を示している。一方、図２（ｃ）は、扉枠４の枠側補強具２が取り付けられた場所の近傍を示した正面図であり、（ｄ）はＡ−Ａ断面の断面図である。４２は、デッドボルトの受け穴である。
【００２１】
扉側補強具１は、例えば、長方形の金属板を曲げ加工により形成したものであり、扉側補強具基体１１の端部付近から突出した扉側補強具凸部１２から構成される。なお、加工方法は曲げ加工に限るものではなく、切削加工により同様の形状を得ても良い。扉側補強具基体１１には取り付けのための穴が設けられ、ねじ１３により、扉３にねじ留めされている。
【００２２】
枠側補強具２は、例えば、直方体の金属の中央に扉側補強具凸部１２が挿入できる凹部である枠側補強具凹部２１が設けられている。枠側補強具２は直方体の金属に切削加工により凹部を形成しても良いし、金属板の曲げ加工により形成しても良い。扉側補強具１と枠側補強具２の上下取り付け位置は、両者がほぼ水平となる位置にそれぞれ取り付ける。
【００２３】
図３は、扉を開閉した際の本発明に係る防犯補助具の状態を示すＡ−Ａ断面図であり、（ａ）が扉が閉まる直前における、（Ｂ）が扉が閉まった状態における扉側補強具１と枠側補強具２の位置関係を示している。扉が閉まった状態においては、扉側補強具凸部１２が枠側補強具凹部２１に挿入された状態になる。
【００２４】
図４は、この扉が閉まった状態において、外側からバール６を用いて扉３をこじ開けようとしている様子を示している。バール６の先端を扉３と扉枠４の間隙に挿入し、バール６を白抜き矢印で示すように、左右に揺することで、扉３と扉枠４の破壊を試みている。
【００２５】
この結果、扉３の図４における左端下方と、扉枠４の右端下方は押し広げられる。図５は、このときの様子を示している。なお、図５には、このときのデッドボルト３３、錠の外筒および内筒３４、およびデッドボルト受け穴４２も示している。バール６のこじ開けにより、扉３の図４における右端下方と、扉枠４の左端下方は押し広げられるが、扉３と扉枠４の建物内側（図５における上側）は押し広げることができない。扉側補強具凸部１２が枠側補強具凹部２１に挿入されているため、建物内側では扉３と扉枠４が強く結合しているためである。結果として、デッドボルト３３が傾くだけで、デッドボルト受け穴４２から出ることは無く、扉を開けることはできない。
【００２６】
現在の一般的な基準では、４５ｃｍ長のバールを用いて成人男性がこじ開けを試みた場合に、扉が開けられないことを前提にして、扉システムが設計されていることが多い。しかし、実際にはこれ以上の力でこじ開けられた犯罪例が多発している。
そこで、本発明の性能確認試験においては、９０ｃｍ長のバールを用いて成人男性がこじ開けを試みた。このような厳しい試験条件においても、本発明の扉システムは破壊されることは無かった。
【００２７】
しかし、さらに大きな力でこじ開けた場合、扉側補強具１を扉３に固定しているねじ１３が破壊されることが分った。図６（ａ）で示す黒色矢印方向の大きな力にねじ１３が絶えられなかったためである。ねじは垂直方向の力には大きな耐久力があるが、横方向の力に対して、比較的弱いためである。
そこで、図６（ｂ）で示すように、両面テープ３４を用いたところ、横方向の強度が大きく増加させることができた。ねじ１３を用いず、接着力が強い両面テープ１４だけでも、十分な強度が得られた。両面テープは直射日光の照射により接着力が経時劣化するが、室内側で使用する場合においては、接着力の経時劣化は限定的であり、長期的な信頼性も確保できる。
【００２８】
なお、本実施の形態においては、ひとつの扉側補強具１を用いたが、さらに強度を向上させるために複数の扉側補強具１を用いても良い。例えば、１つの錠を備えた扉であれば、錠の上方近傍と下方近傍に扉側補強具１を取り付けても良い。
【００２９】
本発明に係る扉側補強具は上記のように構成されるので、極めてシンプルな構成でありながら、バールを用いた不正開錠行為に対して、優れた耐久性を示す扉システムを構築できる。
そのため、進化した犯罪手口にも十分に対応可能である。
また、施工後の扉の補強も容易に且つ低コストで実施できる。
【００３０】
実施の形態２．
図７から図１０を用いて、バールによるこじ開けに対する耐久性をさらに向上させた防犯補助具について説明する。図７は、本実施の形態２に係る防犯補助具を扉および扉枠へ取付けた状態を示す図であり、室内側から見た図である。図８は、防犯補助具の試作品を実際に扉に取り付けた際の写真である。図９は、防犯補助具の断面図である。図１０は、防犯補助具の扉開閉側の分部拡大写真である。
この防犯補助具は、地震時の閉じ込めに対する対策も施された耐震型設計も施されている。
この防犯補助具も、実施の形態１と同様に、閉じた状態から一方向に開き且つシリンダー錠を備えた扉の防犯対策に用いる補強具であって、扉に取り付ける扉側補強具１００と扉枠に取り付ける枠側補強具２００で構成される。
【００３１】
枠側補強具２００は、実施の形態１と同様に断面形状がコの字のものであっても良いが、本実施の形態においては、図９に示すように、断面形状をｈの字とすることで、扉枠４との固定強度を強化している。枠側補強具凹部２１０に関しては、実施の形態１における枠側補強具凹部２１と同様である。
【００３２】
扉側補強具１００は、横長で中空の直方体形状を有する筐体１１０内面に、扉側補強具基体１２０がねじ１２２や必要に応じて両面テープで強固に固定されている。扉側補強具基体１２０から伸びた扉側補強具凸部１２１は、筐体１１０の図９における右端から右にはみ出した位置にある。この扉側補強具凸部１２１は、実施の形態１における扉側補強具凸部１２と同様の役割を有する。
【００３３】
筐体１１０の図９における右端には、ローラ１３０が回転可能に筐体１１０の内面に固定されている。ローラ１３０の一部は、筐体１１０の図９における右端から右にはみ出した位置にある。図１０では、ローラ１３０近傍の斜視拡大写真を示している。
【００３４】
筐体１１０の図９における左端には、後端位置調整部１６０が設けられている。この後端位置調整部１６０は、例えば、調整用ボルトを回転させることで、筐体１１０の後端（図９における左端）の位置を微調整できる。
【００３５】
次に、この防犯補助具の取り付け方法や使用方法について述べる。
枠側補強具２００については、実施の形態１における枠側補強具２０と同様に、扉枠４に取り付ける。
【００３６】
扉側補強具１００は、扉の内側に両面テープ１４０やねじ１５０を用いて固定する。筐体１１０は横長であるので、扉の内側と大きな接触面積を持つため、両面テープ１４０によって極めて強固に固定できる。なお、筐体１１０に設けた開口１７０は、ねじ１５０を固定するためのドライバーを挿入する開口である。ねじ１５０を設けているのは、両面テープによる固定を補強するためである。両面テープは接着面に平行な方向には強力な固定力を持つが、接着面に垂直な方向には固定力が十分では無い場合もあり、接着面に垂直な方向の固定力を補強するためにねじ１５０を用いている。
【００３７】
扉側補強具１００と枠側補強具２００の水平位置はほぼ同じ位置に固定され、扉３を閉めた際には、扉側補強具凸部１２１が枠側補強具凹部２１０に挿入される。また、ローラー１３０の図９における右端は、枠側補強具２００の左端とわずかな間隔を持って対向する。
【００３８】
後端位置調整部１６０は、扉３を開けた状態で調整を行う。そして、扉３を閉めた際に、筐体１１０の後端と扉枠４の扉枠接続側端４３との間隔Ｂが１ｍｍ以下程度になるように調整する。扉３を閉めた際に、筐体１１０の後端が扉枠４の扉枠接続側端４３に軽く当接するようにしてもよいが、扉枠４に傷が付くのを防止するため、わずかに隙間を設けた方が良い。
【００３９】
本実施の形態に係る防犯補助具は、上述のように構成され、取り付けられることで、以下に示す多くの特長を有する。
まず、実施の形態１における防犯補助具と同様に、施工後の扉にも容易に取り付けることができる。さらに、防犯補助具自体が高い強度を有しているので、扉が軟弱であっても、全体として強度を向上させることができる。
【００４０】
また、筐体は横長であるので、扉の内側と大きな接触面積を持ち、両面テープによって極めて強固に固定できるため、バールを用いた不正開錠に対して著しい耐久力を示す。
さらに、後端位置調整部を有することで、扉を閉めた際に扉枠と突っ張り構造を成し、耐久力を一層向上できる。なお、扉を閉めた際に後端位置調整部と扉枠とは完全に当接する必要は無い。例えば、１ｍｍ程度の間隔を持たせ、扉枠に傷が付かないようにした方が良い。バールでこじ開けようとした際に、防犯補助具が扉枠接続側端側に１ｍｍ程度ずれても、十分に扉強度を保つことができるためである。
【００４１】
また、ローラーを備えたことで、地震により扉枠が歪んだ場合であっても、ローラーが枠側補強具２００の左端と当接することで、扉を小さな力で開けることが可能であり、屋内に閉じ込められることを回避できる。
さらに、後端位置調整部を有することで、扉を閉めた際に扉枠と突っ張り構造を成し、巨大地震で扉枠が圧迫されても、扉枠の歪を最小限に抑制することができる。
このように、扉と扉枠との間隔を広げることなく、地震対策が可能となる。すなわち、バールを扉と扉枠との隙間に深く挿入することはできないので、地震対策を施しても、バールによる不正開錠に対して脆弱となることは無い。
【００４２】
以上に述べたように、本実施の形態に係る防犯補助具は、扉の強度を大幅に向上させることで、バールによる不正開錠を防止することができる。それとともに、扉枠の強度も向上させるため、地震による扉枠の歪を最小限に抑制し、且つ、扉枠が歪んだ場合でも、ローラにより扉を小さな力で開けることができるので、大きな地震が起きても部屋に閉じ込められることがない。
このように、バールによる不正開錠および地震に対する対策を同時に施すことができる。これらの２つの問題は、これまでは別々に対策されてきた。しかし、バールによる不正開錠という悪質な犯罪が増加している一つの要因は、地震対策を施した扉は扉枠との間隔が大きくなり、バールによる侵入を容易にしていることである。したがって、これらの２つの問題は強く相関しており、同時に考慮すべきであった。本実施の形態に係る防犯補助具は、まさにこの重要な認識から生まれたものである。
【００４３】
また、これら２つの問題は、近年になって重視され出した問題であり、ほとんどの扉は十分な対策が施されていないのが現状である。本実施の形態に係る防犯補助具は、施工後の扉にも容易に取り付けることができるので、対策が施されていない多くの玄関扉に対して、適切な対策を簡便に施すことが可能である。
【符号の説明】
【００４４】
１  扉側補強具
１１  扉側補強具基体      １２  扉側補強具凸部
１３  ねじ                １４  両面テープ
２  枠側補強具
２１  枠側補強具凹部      ２２  ねじ
３  扉
３１  扉開閉側端        ３２Ａ  錠
３２Ｂ  補助錠            ３３  デッドボルト
３４  外筒および内筒
４  扉枠
４１  扉枠開閉側端        ４２  デッドボルト受け穴
４３  扉枠接続側端
５  回転接続部
６  バール 
６Ａ  筒
１００  扉側補強具
１１０  筐体              １２０  扉側補強具基体
１２１  扉側補強具凸部      １２２  ねじ
１３０  ローラー            １４０  両面テープ
１５０  ねじ                １６０  後端位置調整部
２００  枠側補強具
２１０  枠側補強具凹部
【図１】
2016135979.tif 000003
【図２】
2016135979.tif 000004
【図３】
2016135979.tif 000005
【図４】
2016135979.tif 000006
【図５】
2016135979.tif 000007
【図６】
2016135979.tif 000008
【図７】
2016135979.tif 000009
【図８】
2016135979.tif 000010
【図９】
2016135979.tif 000011
【図１０】
2016135979.tif 000012